【手続補正書】
【提出日】平成18年1月24日(2006.1.24)
【手続補正１】
【補正対象書類名】明細書
【補正対象項目名】特許請求の範囲
【補正方法】変更
【補正の内容】
【特許請求の範囲】
【請求項１】  ユーザが印刷要求を行う端末装置と、
前記端末装置から送信される中間データを受信し処理するプリントサーバと、
前記プリントサーバから送信される前記中間データを出力する画像形成装置と、
過去に印刷された前記中間データを検索、閲覧、再印刷を行う管理者用端末装置から構成されるネットワーク印刷システムであって、
ユーザが前記端末装置を介して印刷指示を行う際、前記印刷指示を受けて画像形成装置に出力すると同時に、印刷後に管理者による検索、閲覧、再印刷を行うための前記中間データを蓄積する前記プリントサーバを有することを特徴とするネットワーク印刷システム。
【請求項２】  ユーザから印刷指示を受けた前記端末装置は、前記中間データを前記画像形成装置で出力するために、前記プリントサーバに送ると同時に、印刷後に検索、閲覧、再印刷を行う際に必要な前記中間データを蓄積するために、前記中間データを前記プリントサーバに送ることを特徴とする請求項１記載のネットワーク印刷システム。
【請求項３】  前記端末装置から検索、閲覧、再印刷のために蓄積するための前記プリントサーバに前記中間データを送る際、ユーザを一意に特定できるユーザ名、端末装置を一意に特定するクライアント名、印刷日時、印刷しようとするファイル名など、印刷後に検索する際にキーとなりえる情報を同時に送付することを特徴とする請求項２記載のネットワーク印刷システム。
【請求項４】  前記端末装置から送られてきた前記中間データを検索する際、内容で検索できるように前記中間データを変換しておくことを特徴とする請求項３記載のネットワーク印刷システム。
【請求項５】  前記中間データを検索する際、内容で検索できるように前記中間データを変換しておく際に、既に印刷済みであることを示す印を付加することを特徴とする請求項４記載のネットワーク印刷システム。
【請求項６】  前記付加する印として、透かし印刷を使用することを特徴とする請求項５記載のネットワーク印刷システム。
【請求項７】  前記中間データを変換するフォーマットとして、後で全文検索可能なフォーマットを使用することを特徴とする請求項４、５および６記載のネットワーク印刷システム。
【請求項８】  前記端末装置上の仮想プリンタドライバが実際に出力する画像形成装置用の前記プリンタドライバを呼んで、画像形成装置用のピーディーエルに変換してから前記プリンタサーバに送ることを特徴とする請求項２記載のネットワーク印刷システム。
【請求項９】  前記端末装置上の仮想プリンタドライバは前記中間データを前記プリンタサーバに送り、前記プリンタサーバで実際に出力する画像形成装置用の前記プリンタドライバを呼んで、画像形成装置用のピーディーエルに変換することを特徴とする請求項２記載のネットワーク印刷システム。
【請求項１０】  前記中間データとしてマイクロソフト社のイーエムエフフォーマットを使用することを特徴とする請求項２記載のネットワーク印刷システム。
【請求項１１】  前記中間データとしてアドビ社のポストスクリプトフォーマットを使用することを特徴とする請求項２記載のネットワーク印刷システム。
【請求項１２】  前記プリントサーバで前記中間データを受け取るスプーラが、前記中間データを実際に前記画像形成装置で印刷するために、前記プリンタドライバに渡すと同時に、前記スプーラが検索情報を生成するために、前記中間データを検索情報システムに渡すことを特徴とする請求項２記載のネットワーク印刷システム。
【請求項１３】  前記プリントサーバで前記中間データを受け取るスプーラが、前記中間データを実際に前記画像形成装置で印刷するために、前記プリンタドライバに渡すと同時に、前記スプーラが検索情報を生成するために前記中間データおよび前記キーとなる情報を検索情報システムに渡すことを特徴とする請求項３記載のネットワーク印刷システム。
【請求項１４】  前記プリントサーバで前記中間データを受け取るスプーラが、前記中間データを実際に前記画像形成装置で印刷するために、前記プリンタドライバに渡すと、前記プリンタドライバが検索情報を生成するために、前記中間データを検索情報システムに渡すことを特徴とする請求項２記載のネットワーク印刷システム。
【請求項１５】  前記プリントサーバで前記中間データを受け取るスプーラが、前記中間データを実際に前記画像形成装置で印刷するために、前記プリンタドライバに渡すと、前記プリンタドライバが検索情報を生成するために前記中間データおよび前記キーとなる情報を検索情報システムに渡すことを特徴とする請求項３記載のネットワーク印刷システム。
【請求項１６】  前記全文検索可能なフォーマットとして、アドビ社のピーディーエフを使用することを特徴とする請求項７記載のネットワーク印刷システム。
【手続補正２】
【補正対象書類名】明細書
【補正対象項目名】００１４
【補正方法】変更
【補正の内容】
【００１４】
【課題を解決するための手段】
かかる目的を達成するために、請求項１記載のネットワーク印刷システムは、ユーザが印刷要求を行うネットワークに繋がった端末装置と、端末装置から送られてくる中間データを受信し処理するプリントサーバと、プリントサーバから送られてくる中間データを出力する画像形成装置と、過去に印刷された中間データを検察、閲覧、再印刷を行う管理者用端末装置から構成されるネットワークシステムであり、ユーザが端末装置を介して印刷指示を行う際、印刷指示を受けて画像形成装置に出力すると同時に、後で管理者による検索、閲覧、再印刷を行うための中間データを蓄積するプリントサーバを有することを特徴としている。
【手続補正３】
【補正対象書類名】明細書
【補正対象項目名】００１５
【補正方法】変更
【補正の内容】
【００１５】
請求項２記載のネットワーク印刷システムは、請求項１記載のネットワーク印刷システムにおいて、ユーザから印刷指示を受けた端末装置は、中間データを画像形成装置で出力するために、プリントサーバに送ると同時に、後の検索、閲覧、再印刷を行う際に必要な中間データを蓄積するために、中間データをプリントサーバに送ることを特徴としている。
【手続補正４】
【補正対象書類名】明細書
【補正対象項目名】００１６
【補正方法】変更
【補正の内容】
【００１６】
請求項３記載のネットワーク印刷システムは、請求項２記載のネットワーク印刷システムにおいて、端末装置から検索、閲覧、再印刷のために蓄積するためのプリントサーバに中間データを送る際、ユーザを一意に特定できるユーザ名、端末装置を一意に特定するクライアント名、印刷日時、印刷しようとするファイル名など、後で検索する際にキーとなりえる情報を同時に送付することを特徴としている。
【手続補正５】
【補正対象書類名】明細書
【補正対象項目名】００１７
【補正方法】変更
【補正の内容】
【００１７】
請求項４記載のネットワーク印刷システムは、請求項３記載のネットワーク印刷システムにおいて、端末装置から送られてきた中間データを検索する際、内容で検索できるように中間データを変換しておくことを特徴としている。
【手続補正６】
【補正対象書類名】明細書
【補正対象項目名】００２１
【補正方法】変更
【補正の内容】
【００２１】
請求項８記載のネットワーク印刷システムは、請求項２記載のネットワーク印刷システムにおいて、端末装置上の仮想プリンタドライバが、実際に出力する画像形成装置用のプリンタドライバを呼んで、画像形成装置用のピーディーエルに変換してからプリンタサーバに送ることを特徴としている。
【手続補正７】
【補正対象書類名】明細書
【補正対象項目名】００２２
【補正方法】変更
【補正の内容】
【００２２】
請求項９記載のネットワーク印刷システムは、請求項２記載のネットワーク印刷システムにおいて、端末装置上の仮想プリンタドライバは中間データを前記プリンタサーバに送り、プリンタサーバで実際に出力する画像形成装置用のプリンタドライバを呼んで、画像形成装置用のピーディーエルに変換することを特徴としている。
【手続補正８】
【補正対象書類名】明細書
【補正対象項目名】００２５
【補正方法】変更
【補正の内容】
【００２５】
請求項１２記載のネットワーク印刷システムは、請求項２記載のネットワーク印刷システムにおいて、プリントサーバで中間データを受け取るスプーラが、中間データを実際に画像形成装置で印刷するために、プリンタドライバに渡すと同時に、スプーラが検索情報を生成するために、中間データを検索情報システムに渡すことを特徴としている。
【手続補正９】
【補正対象書類名】明細書
【補正対象項目名】００２６
【補正方法】変更
【補正の内容】
【００２６】
請求項１３記載のネットワーク印刷システムは、請求項３記載のネットワーク印刷システムにおいて、プリントサーバで中間データを受け取るスプーラが、中間データを実際に画像形成装置で印刷するために、プリンタドライバに渡すと同時に、スプーラが検索情報を生成するために中間データおよびキーとなる情報を検索情報システムに渡すことを特徴としている。
【手続補正１０】
【補正対象書類名】明細書
【補正対象項目名】００２７
【補正方法】変更
【補正の内容】
【００２７】
請求項１４記載のネットワーク印刷システムは、請求項２記載のネットワーク印刷システムにおいて、プリントサーバで中間データを受け取るスプーラが、中間データを実際に画像形成装置で印刷するために、プリンタドライバに渡すと、プリンタドライバが検索情報を生成するために、中間データを検索情報システムに渡すことを特徴としている。
【手続補正１１】
【補正対象書類名】明細書
【補正対象項目名】００２８
【補正方法】変更
【補正の内容】
【００２８】
請求項１５記載のネットワーク印刷システムは、請求項３記載のネットワーク印刷システムにおいて、プリントサーバで中間データを受け取るスプーラが、中間データを実際に画像形成装置で印刷するために、プリンタドライバに渡すと、プリンタドライバが検索情報を生成するために中間データおよび前記キーとなる情報を検索情報システムに渡すことを特徴としている。
【手続補正１２】
【補正対象書類名】明細書
【補正対象項目名】００５３
【補正方法】変更
【補正の内容】
【００５３】
【発明の効果】
請求項１記載のネットワーク印刷システムによれば、ユーザが印刷要求を行うネットワークに繋がった端末装置と、端末装置から送られてくる中間データを受信し処理するプリントサーバと、プリントサーバから送られてくる中間データを出力する画像形成装置と、過去に印刷された中間データを検索閲覧、再印刷を行う管理者用端末装置から構成されるネットワークシステムであり、ユーザが端末装置を介して印刷指示を行う際、印刷指示を受けて画像形成装置に出力すると同時に、印刷後で管理者による検索、閲覧再印刷を行うための中間データを蓄積するプリントサーバを有することを特徴としているので、万一情報が印刷物を介して漏洩した場合にも履歴により追跡可能となり、追跡により情報が不正に漏洩することの抑止力となり得る。
【手続補正１３】
【補正対象書類名】明細書
【補正対象項目名】００５４
【補正方法】変更
【補正の内容】
【００５４】
請求項２記載のネットワーク印刷システムによれば、請求項１記載のネットワーク印刷システムにおいて、ユーザから印刷指示を受けた端末装置は、中間データを画像形成装置で出力するためプリントサーバに送ると同時に、印刷後の検索、閲覧、再印刷を行う際に必要な中間データを蓄積するために、中間データをプリントサーバに送ることを特徴としているので、端末装置上で中間データを実際に印刷するための画像形成装置側と、検索、閲覧再印刷用に蓄積する側とに、端末装置から別々に送ることによって、画像形成装置側と検索、閲覧、再印刷用に蓄積する管理者用端末装置側とが同一である必要が無く、構成の自由度が高い。
【手続補正１４】
【補正対象書類名】明細書
【補正対象項目名】００５５
【補正方法】変更
【補正の内容】
【００５５】
請求項３記載のネットワーク印刷システムによれば、請求項２記載のネットワーク印刷システムにおいて、端末装置から検索、閲覧、再印刷のために蓄積するためのプリントサーバに中間データを送る際、ユーザを一意に特定できるユーザ名、端末装置を一意に特定するクライアント名、印刷日時、印刷しようとするファイル名など、印刷後で検索する際にキーとなりえる情報を同時に送付することを特徴としているので、後で検索する際、それらの情報をキーとして使用でき、検索が容易になる。
【手続補正１５】
【補正対象書類名】明細書
【補正対象項目名】００５６
【補正方法】変更
【補正の内容】
【００５６】
請求項４記載のネットワーク印刷システムによれば、請求項３記載のネットワーク印刷システムにおいて、端末装置から送られてきた中間データを検索する際、内容で検索できるように中間データを変換しておくことを特徴としているので、検索する際に印刷した内容も検索対象とでき、検索効率が上がる。
【手続補正１６】
【補正対象書類名】明細書
【補正対象項目名】００６０
【補正方法】変更
【補正の内容】
【００６０】
請求項８記載のネットワーク印刷システムによれば、請求項２記載のネットワーク印刷システムにおいて、端末装置上の仮想プリンタドライバが、実際に出力する画像形成装置用のプリンタドライバを呼んで、画像形成装置用のＰＤＬに変換してからプリンタサーバに送ることを特徴としているので、既存のネットワークプリンタをそのまま利用可能であり、システムの自由度が高まる。
【手続補正１７】
【補正対象書類名】明細書
【補正対象項目名】００６１
【補正方法】変更
【補正の内容】
【００６１】
請求項９記載のネットワーク印刷システムによれば、請求項２記載のネットワーク印刷システムにおいて、端末装置上の仮想プリンタドライバは中間データをプリンタサーバに送り、プリンタサーバで実際に出力する画像形成装置用のプリンタドライバを呼んで、画像形成装置用のＰＤＬに変換することを特徴としているので、各端末装置に画像形成装置毎のプリンタドライバをインストールする必要が無く、管理が容易となる。
【手続補正１８】
【補正対象書類名】明細書
【補正対象項目名】００６４
【補正方法】変更
【補正の内容】
【００６４】
請求項１２記載のネットワーク印刷システムによれば、請求項２記載のネットワーク印刷システムにおいて、プリントサーバで中間データを受け取るスプーラが、中間データを実際に画像形成装置で印刷するために、プリンタドライバに渡すと同時に、スプーラが検索情報を生成するために、中間データを検索情報システムに渡すことを特徴としているので、スプーラが検索情報を既存のプリンタドライバをそのまま利用することができ、利便性が高い。
【手続補正１９】
【補正対象書類名】明細書
【補正対象項目名】００６５
【補正方法】変更
【補正の内容】
【００６５】
請求項１３記載のネットワーク印刷システムによれば、請求項３記載のネットワーク印刷システムにおいて、プリントサーバで中間データを受け取るスプーラが、中間データを実際に画像形成装置で印刷するために、プリンタドライバに渡すと同時に、スプーラが検索情報を生成するために中間データおよびキーとなる情報を検索情報システムに渡すことを特徴としているので検索する際に利用可能なキーが増えて検索で絞り込むことが容易になり、利便性が高い。
【手続補正２０】
【補正対象書類名】明細書
【補正対象項目名】００６６
【補正方法】変更
【補正の内容】
【００６６】
請求項１４記載のネットワーク印刷システムによれば、請求項２記載のネットワーク印刷システムにおいて、プリントサーバで中間データを受け取るスプーラが、中間データを実際に画像形成装置で印刷するためにプリンタドライバに渡すと、プリンタドライバが検索情報を生成するために、中間データを検索情報システムに渡すことを特徴としているので、プリンタドライバを改造する方が容易に実現できる。
【手続補正２１】
【補正対象書類名】明細書
【補正対象項目名】００６７
【補正方法】変更
【補正の内容】
【００６７】
請求項１５記載のネットワーク印刷システムによれば、請求項３記載のネットワーク印刷システムにおいて、プリントサーバで中間データを受け取るスプーラが、中間データを実際に画像形成装置で印刷するために、プリンタドライバに渡すと、プリンタドライバが検索情報を生成するために中間データおよび前記キーとなる情報を検索情報システムに渡すことを特徴としているので、検索する際に利用可能なキーが増え検索で絞り込むことが容易になり利便性が高い。